(57)【要約】【課題】携帯電話送受信機において、受信信号に重畳する歪み信号成分を相殺し、受信機の受信信号復調精度を改善する。【解決手段】送受信機は受信機（３１）と、送信機（３２）と、ディジタル信号処理部（３３）とを含む。受信機は、受信ブロック（４４）と歪み検出ブロック（４５）とを含む。受信ブロック（４４）はディジタル信号処理部（３３）へと受信ディジタル信号を供給するものである。歪み検出ブロック（４５）はディジタル信号処理部（３３）へと受信２次相互歪みディジタル信号を供給するものである。ディジタル信号処理部（３３）は、受信２次相互歪みディジタル信号と送信ディジタル信号とで、再生受信３次相互歪みディジタル信号を生成するものである。ディジタル信号処理部では、再生受信３次相互歪みディジタル信号で、受信ディジタル信号に含まれる受信３次相互歪み信号を相殺するように構成される。【選択図】図１
2012060433.tif 000002
【特許請求の範囲】
【請求項１】
送信機と、
前記送信機に送信ディジタル信号を供給するディジタル信号処理部と、
受信信号に含まれる受信アナログ信号を受信ディジタル信号に変換して前記ディジタル信号処理部へ供給する受信ブロックと、前記受信信号に含まれる受信２次相互歪みアナログ信号を受信２次相互歪みディジタル信号に変換して前記ディジタル信号処理部へ供給する歪み検出ブロックとを有する受信機とを備え、
前記ディジタル信号処理部は、
前記受信２次相互歪みディジタル信号と前記送信ディジタル信号とから、前記受信ディジタル信号に含まれる受信３次相互歪み成分を相殺する再生受信３次相互歪みディジタル信号を生成する
ことを特徴とする送受信機。
【請求項２】
請求項１において、
前記ディジタル信号処理部は、
前記受信２次相互歪みディジタル信号から、前記受信ディジタル信号に含まれる受信２次歪み信号を相殺する再生受信２次歪みディジタル信号を生成する
ことを特徴とする送受信機。
【請求項３】
請求項１において、
前記受信機は、低雑音増幅器を含み、
前記受信ブロックは、
ＲＦ送信漏洩信号と妨害波信号と前記受信信号とを含み前記低雑音増幅器で増幅されたＲＦ受信信号を、前記受信アナログ信号に変換する受信復調器と、
前記受信復調器から供給された前記受信アナログ信号を、前記受信ディジタル信号に変換する受信信号Ａ／Ｄ変換器とを含み、
前記歪み検出ブロックは、
前記低雑音増幅器から供給された前記受信２次相互歪みアナログ信号を前記受信２次相互歪みディジタル信号に変換する歪み信号Ａ／Ｄ変換器を含み、
前記送信機は、
前記送信ディジタル信号を送信アナログ信号に変換するＤ／Ａ変換器と、該送信アナログ信号をＲＦ送信信号に変換する送信変調器とを含む
ことを特徴とする送受信機。
【請求項４】
請求項３において、
前記受信機は、Ｌｏｗ−ＩＦダウンコンバージョン受信機であり、
前記ＲＦ受信信号の周波数は前記妨害波信号の周波数よりも低く、前記妨害波信号の周波数は前記ＲＦ送信漏洩信号の周波数よりも低く、
前記ＲＦ送信漏洩信号は、前記ＲＦ送信信号の減衰形であり、
前記受信２次相互歪み信号は、前記ＲＦ送信漏洩信号と前記妨害波信号との２次相互歪み成分であり、
前記受信３次相互歪み信号は、前記ＲＦ送信漏洩信号と前記妨害波信号との３次相互歪み成分である
ことを特徴とする送受信機。
【請求項５】
請求項４において、
前記ディジタル信号処理部は、受信３次相互歪み再生部を備えており、
該受信３次相互歪み再生部は、
受信２次相互歪みディジタル信号を二乗演算し、二乗受信２次相互歪みディジタル信号を生成する二乗器と、
二乗受信２次相互歪みディジタル信号を、受信３次相互歪み信号と等しい周波数に変換するディジタルミキサと、
前記ディジタルミキサから供給された二乗受信２次相互歪みディジタル信号と送信ディジタル信号とを除算演算し、前記再生受信３次相互歪みディジタル信号を生成する除算器と、
前記除算器から供給された前記再生受信３次相互歪みディジタル信号の振幅と位相を、受信３次相互歪み信号と同振幅で逆位相となるように調整する再生３次相互歪み信号振幅位相調整部と、
前記再生３次相互歪み信号振幅位相調整部からの前記再生受信３次相互歪みディジタル信号と前記受信信号Ａ／Ｄ変換器からの受信ディジタル信号との加算処理を行う３次相互歪み加算器とを含む
ことを特徴とした送受信機。
【請求項６】
請求項５において、
前記ディジタル信号処理部は、
内部メモリに保持された調整３次相互歪み振幅位相係数信号を前記再生３次相互歪み信号振幅位相調整部へと供給する、再生信号振幅位相制御部を更に含み、
前記再生３次相互歪み信号振幅位相調整部において、前記調整３次相互歪み振幅位相係数信号に基づいて振幅、位相を制御する
ことを特徴とした送受信機。
【請求項７】
請求項４において、
前記再生３次相互歪み信号振幅位相調整部は適応フィルタにより構成されている
ことを特徴とする送受信機。
【請求項８】
請求項２において、
前記受信２次歪みディジタル信号の振幅と位相を、前記受信２次歪み信号と同振幅で逆位相となるように調整し前記再生受信２次歪みディジタル信号生成する再生２次歪み振幅位相調整部と、
前記再生２次歪み振幅位相調整部からの前記再生受信２次歪みディジタル信号と、前記受信信号Ａ／Ｄ変換器からの前期受信ディジタル信号との加算処理を行うことで、前記受信ディジタル信号に含まれる２次歪み成分を相殺する２次歪み加算器とを備えた
ことを特徴とした送受信機。
【請求項９】
送信機と受信機とを備え、
前記受信機は、
低雑音増幅器と、
前記送信機に送信ディジタル信号を供給するディジタル信号処理部と、
前記低雑音増幅器に接続され、受信信号に含まれる受信ディジタル信号を前記ディジタル信号処理部へ供給する受信ブロックと、
前記低雑音増幅器と前記受信ブロックとの間に接続され、前記受信信号に含まれる受信２次相互歪みディジタル信号を前記ディジタル信号処理部へ供給する歪み検出ブロックとを有し、
前記ディジタル信号処理部は、
前記受信２次相互歪みディジタル信号と前記送信ディジタル信号とから再生受信３次相互歪みディジタル信号を生成すると共に、前記受信２次相互歪みディジタル信号から再生受信２次歪みディジタル信号を生成し、
前記再生受信３次相互歪みディジタル信号で、前記受信ディジタル信号に含まれる受信３次相互歪み信号を相殺し、前記再生受信２次歪みディジタル信号で前記受信ディジタル信号に含まれる受信２次歪み信号を相殺する
ことを特徴とする送受信機。
【請求項１０】
請求項９において、
前記受信機は、ダイレクトダウンコンバージョン受信機であり、
該受信機のＲＦ受信信号は、ＲＦ送信漏洩信号と、妨害波信号と、受信信号を含むものであり、
前記妨害波信号の周波数は前記ＲＦ送信漏洩信号の周波数よりも低く、前記ＲＦ送信漏洩信号の周波数は前記ＲＦ受信信号の周波数よりも低く、
前記ＲＦ送信漏洩信号は、前記送信機のＲＦ送信信号の減衰形であり、
前記受信２次相互歪みディジタル信号は、前記ＲＦ送信漏洩信号と前記妨害波信号との２次相互歪み成分であり、
前記受信３次相互歪み信号は、前記ＲＦ送信漏洩信号と前記妨害波信号との３次相互歪み成分である
ことを特徴とする送受信機。
【請求項１１】
請求項９において、
前記受信ブロックは、
ＲＦ送信漏洩信号と妨害波信号と前記受信信号とを含み前記低雑音増幅器で増幅されたＲＦ受信信号を、前記受信アナログ信号に変換する受信復調器と、
前記受信復調器から供給された前記受信アナログ信号を、前記受信ディジタル信号に変換する受信信号Ａ／Ｄ変換器とを含む
ことを特徴とする送受信機。
【請求項１２】
請求項１１において、
前記ディジタル信号処理部は、
受信２次相互歪みディジタル信号を、受信３次相互歪み信号と等しい周波数に変換するディジタルミキサと、
前記ディジタルミキサから供給された受信２次相互歪みディジタル信号と送信ディジタル信号とを乗算演算し、前記再生受信３次相互歪みディジタル信号を生成する乗算器と、
前記乗算器から供給された前記再生受信３次相互歪みディジタル信号の振幅と位相を、受信３次相互歪み信号と同振幅で逆位相となるように調整する再生３次相互歪み信号振幅位相調整部と、
前記再生３次相互歪み振幅位相調整部からの前記再生受信３次相互歪みディジタル信号と前記受信信号Ａ／Ｄ変換器からの受信ディジタル信号との加算処理を行うことで、受信ディジタル信号に含まれる３次相互歪み成分を相殺する３次相互歪み加算器とを含む、
受信３次相互歪み再生部を備えている
ことを特徴とした送受信機。
【請求項１３】
請求項１１において、
前記受信ブロックは、
前記低雑音増幅器で増幅されたＲＦ受信信号を受信アナログ信号に変換する受信復調器と、
前記受信復調器から供給された受信アナログ信号を受信ディジタル信号に変換する受信信号Ａ／Ｄ変換器とを含み、
前記歪み検出ブロックは、前記低雑音増幅器から供給された受信２次相互歪みアナログ信号を受信２次相互歪みディジタル信号に変換する歪み信号Ａ／Ｄ変換器を含み、
前記ディジタル信号処理部は、前記受信２次歪みディジタル信号の振幅と位相を、前記受信２次歪み信号と同振幅で逆位相となるように調整し前記再生受信２次歪みディジタル信号生成する再生２次歪み振幅位相調整部と、
前記再生２次歪み振幅位相調整部からの前記再生受信２次歪みディジタル信号と、前記受信信号Ａ／Ｄ変換器からの前期受信ディジタル信号との加算処理を行うことで、前記受信ディジタル信号に含まれる２次歪み成分を相殺する２次歪み加算器とを備え、
前記ディジタル信号処理部で、受信２次相互歪みディジタル信号と送信ディジタル信号とで、前記再生受信３次相互歪みディジタル信号を生成し、受信２次歪みディジタル信号から、前記再生受信２次歪みディジタル信号を更に生成し、前記再生受信３次相互歪みディジタル信号で、受信ディジタル信号に含まれる受信３次相互歪み信号を相殺し、前記再生受信２次歪みディジタル信号で、前記受信ディジタル信号に含まれる受信２次歪み信号を相殺する
ことを特徴とする送受信機。
【請求項１４】
請求項１３において、
前記ディジタル信号処理部は、２次相互歪み信号選択フィルタと、２次歪み信号選択フィルタと、受信３次相互歪み再生部と、受信２次歪み再生部とを含み、
前記２次相互歪み信号選択フィルタでは、前記歪み信号Ａ／Ｄ変換器の出力信号から受信２次相互歪みディジタル信号を選択し、受信３次相互歪み再生部へと入力し、
前記２次歪み信号選択フィルタは、前記歪み信号Ａ／Ｄ変換器の出力信号から受信２次歪みディジタル信号を選択し、受信２次歪み再生部へと入力し、
前記２次歪み再生部は、
前記受信２次歪みディジタル信号の振幅と位相を、受信２次歪み信号と同振幅で逆位相となるように調整し前記再生受信２次歪みディジタル信号を生成する再生２次歪み信号振幅位相調整部と、
前記再生２次歪み振幅位相調整部からの前記再生受信２次歪みディジタル信号と、前記受信信号Ａ／Ｄ変換器からの受信ディジタル信号との加算処理を行うことで、受信ディジタル信号に含まれる２次歪み成分を相殺する２次相互歪み加算器とを含む
ことを特徴とした送受信機。
【請求項１５】
請求項１３において、
ディジタル信号処理部は、
調整２次歪み振幅位相係数が保存される内部メモリを有し、前記調整２次歪み振幅位相係数信号を前記再生２次歪み信号振幅位相調整部へと供給する再生信号振幅位相制御部を更に含み、
前記再生２次歪み信号振幅位相調整部では、前記調整２次歪み振幅位相係数信号に基づいて振幅、位相を制御する
ことを特徴とした送受信機。
【請求項１６】
請求項１３において、
前記ディジタル信号処理部は、
送信ディジタル信号を二乗演算し、二乗送信ディジタル信号を生成する送信信号二乗器と、
前記送信信号二乗器からの二乗送信ディジタル信号の振幅と位相を、受信２次相互歪みディジタル信号に含まれる受信２次歪みディジタル信号と、同振幅で逆位相となるように調整する二乗送信信号振幅位相調整部と、
前記歪み信号Ａ／Ｄ変換器からの受信２次相互歪みディジタル信号と前記二乗送信信号振幅位相調整部からの二乗送信ディジタル信号との加算処理を行うことで、受信２次相互歪みディジタル信号に含まれる受信２次歪みディジタル信号を相殺する２次相互歪み加算器と、
前記２次相互歪み加算器から受信２次相互歪みディジタル信号が供給される受信３次相互歪み再生部と、
前記二乗送信信号振幅位相調整部から二乗送信ディジタル信号が供給される受信２次歪み再生部とを含むものであり、
前記受信２次歪み再生部は、
前記二乗送信信号振幅位相調整部からの二乗送信ディジタル信号の振幅と位相を、受信２次歪み信号と同振幅で逆位相となるように調整し再生受信２次歪みディジタル信号生成する再生２次歪み信号振幅位相調整部と、
前記再生２次歪み振幅位相調整部からの再生受信２次歪みディジタル信号と前記受信信号Ａ／Ｄ変換器からの受信ディジタル信号との加算処理を行うことで、受信ディジタル信号に含まれる２次歪み成分を相殺する２次相互歪み加算器とを含む
ことを特徴とした送受信機。
【請求項１７】
半導体集積回路に集積された複数の送信機及び受信機と、
前記各送信機に接続された電力増幅器と、
ベースバンド信号処理とを備え、
前記各送信機及び受信機は、各々、請求項１に記載の送受信機で構成されており、
前記送信機は、ダイレクトアップコンバージョン送信機アーキテクチャーと低ＩＦアップコンバージョン送信機アーキテクチャーとのいずれか一方であり、
前記受信機は、ダイレクトダウンコンバージョン受信機アーキテクチャーと低ＩＦダウンコンバージョン受信機アーキテクチャーとのいずれか一方であり、
前記送信機と、前記受信機とは、同一の半導体チップに構成されている
ことを特徴とする携帯電話用端末向けＲＦＩＣ。
【請求項１８】
請求項１７において、
前記送受信機のディジタル信号処理部は、
前記受信２次相互歪みディジタル信号から、前記受信ディジタル信号に含まれる受信２次歪み信号を相殺する再生受信２次歪みディジタル信号を生成する
ことを特徴とする携帯電話用端末向けＲＦＩＣ。
【請求項１９】
ベースバンド信号処理ＬＳＩと、送受信機モジュールと、アンテナモジュール１とを備えた基地局であって、
前記送受信機モジュールは、複数の送信機がディスクリート部品で構成された送信ユニットと、ＲＦ電力増幅器と、複数の受信機がディスクリート部品で構成された受信ユニットとを有し、
前記受信機は、
前記アンテナモジュールは、アンテナと、デュプレクサとを備え、
前記送信機に送信ディジタル信号を供給するディジタル信号処理部と、
受信信号に含まれる受信アナログ信号を受信ディジタル信号に変換して前記ディジタル信号処理部へ供給する受信ブロックと、前記受信信号に含まれる受信２次相互歪みアナログ信号を受信２次相互歪みディジタル信号に変換して前記ディジタル信号処理部へ供給する歪み検出ブロックとを有し、
前記ディジタル信号処理部は、
前記受信２次相互歪みディジタル信号と前記送信ディジタル信号とから、前記受信ディジタル信号に含まれる受信３次相互歪み成分を相殺する再生受信３次相互歪みディジタル信号を生成する
ことを特徴とする携帯電話用基地局。
【請求項２０】
請求項１９において、
前記送受信機のディジタル信号処理部は、
前記受信２次相互歪みディジタル信号から、前記受信ディジタル信号に含まれる受信２次歪み信号を相殺する再生受信２次歪みディジタル信号を生成する
ことを特徴とする携帯電話用基地局。
【発明の詳細な説明】
【技術分野】
【０００１】
本発明は携帯電話等のＲＦ通信に利用される送受信機及びそれを用いた携帯電話用端末向けＲＦＩＣ並びに携帯電話用基地局に関するものであり、特に、送信動作と受信動作を同時に行うＲＦ通信用送受信機において、送信機から受信機への漏洩送信信号起因の受信感度劣化を軽減するのに有効な技術に関するものである。
【背景技術】
【０００２】
携帯電話は、高速化要求により、第２世代：ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ），第２，５世代：ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ），第３世代：ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ），第３，５世代：ＨＳＰＡ（Ｈｉｇｈ  Ｓｐｅｅｄ  Ｐａｃｋｅｔ  Ａｃｃｅｓｓ）と発展を続けてきた。更に近年、更なる高速化を目的とし、第３，９世代：ＬＴＥ（Ｌｏｎｇ  Ｔｅｒｍ  Ｅｖｏｌｕｔｉｏｎ），第４世代：ＩＭＴ−Ａ（Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）と新たな規格が３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で議論されている。ＨＳＰＡが最大受信信号周波数帯域５ＭＨｚ／最大データレート１４Ｍｂｐｓに対し、ＬＴＥでは２０ＭＨｚ／１００Ｍｂｐｓ，ＩＭＴ−Ａでは１００ＭＨｚ／１Ｇｂｐｓと高速化される見込みである。
【０００３】
一方、第３世代以降の携帯電話通信では、周波数帯域を送信と受信に分割して、同時に送受信を行うＦＤＤ  （Ｆｒｅｑｕｅｎｃｙ  Ｄｉｖｉｓｉｏｎ  Ｄｕｐｌｅｘ）方式が米国、欧州、日本を中心に主流になっている。ＦＤＤ方式に対応した携帯電話端末や携帯電話基地局では、送信機から受信機への漏洩送信信号起因の受信感度劣化が問題となっている。ＦＤＤ対応送受信機では、送信機と受信機との分離は、段間に接続されたデュプテクサやフィルタで行われ、受信機に漏れこむ漏洩送信信号強度はデュプテクサ等の性能に起因する。漏洩送信信号が存在する時、受信機の非線形性特性により、受信機へ入力される妨害波信号と漏洩送信信号とは混変調され、受信信号と同じ周波数帯に３次相互歪み成分を生成する。３次相互歪み成分が受信信号に重畳することにより、受信機の受信信号復調精度が劣化する問題があった。
【０００４】
下記非特許文献１には、３次相互歪みを受信信号から相殺する送受信機の構成が記載されている。受信機において、低雑音増幅器の出力端子は受信信号検出ブロックと歪み信号検出ブロックとに接続されている。歪み信号検出ブロックは、３次相互歪み増幅器とＲＦミキサーとを含む。歪み信号検出ブロックで３次相互歪み信号を検出し、受信信号に重畳している３次相互歪み成分の振幅、位相に応じて、検出３次相互歪み信号の振幅、位相を調整した後、受信信号に加算することで、受信信号から３次相互歪み成分を相殺する。
【０００５】
下記特許文献１には、ＲＦ増幅器の３次相互歪み相殺手段が開示されている。ＲＦ増幅器出力に含まれる２次相互歪み成分を、振幅、位相を調整した後、ＲＦ増幅器入力端子にフィードバックする。フィードバックされた２次相互歪み信号は、再びＲＦ増幅器において、送信信号との混変調が行われ、３次相互歪み成分に応じた補償３次相互歪み信号が生成され、３次相互歪み成分が相殺される。
【０００６】
下記特許文献２には、３次相互歪みを受信信号から相殺する送受信機の構成が記載されている。送受信機は受信機と、送信機と、ディジタル信号処理部を含む。受信機において、ＲＦミキサーの出力端子は受信信号検出ブロックと歪み信号検出ブロックとに接続されている。歪み信号検出ブロックでは、妨害波信号成分を検出する。ディジタル信号処理部では、検出妨害波信号とベースバンド送信信号とから再生３次相互歪み信号を生成する。再生３次相互歪み信号と受信信号との加算処理により、受信信号から３次相互歪み成分を相殺する。
【先行技術文献】
【特許文献】
【０００７】
【特許文献１】特表２００３−５０４９３４号公報
【特許文献２】特表２００９−５２６４４２号公報
【非特許文献】
【０００８】
【非特許文献１】Ｅ．  Ａ．  Ｋｅｅｈｒ  ｅｔ  ａｌ，  “Ｅｑｕａｌｉｚａｔｉｏｎ  ｏｆ  Ｔｈｉｒｄ−Ｏｒｄｅｒ  Ｉｎｔｅｒｍｏｄｕｌａｔｉｏｎ  Ｐｒｏｄｕｃｔｓ  ｉｎ  Ｗｉｄｅｂａｎｄ  Ｄｉｒｅｃｔ  Ｃｏｎｖｅｒｓｉｏｎ  Ｒｅｃｅｉｖｅｒｓ”，  ＩＥＥＥ  ＪＯＵＲＮＡＬ  ＯＦ  ＳＯＬＩＤ−ＳＴＡＴＥ  ＣＩＲＣＵＩＴＳ，  ＶＯＬ．４３，  ＮＯ．１２，  ＤＥＣＥＭＢＥＲ  ２００８，  ＰＰ．２８５３−２８６７．
【発明の概要】
【発明が解決しようとする課題】
【０００９】
本発明者等は、本発明に先立ってＦＤＤ通信が可能な携帯電話小型基地局送受信機の研究に従事した。  
本発明者等は、ＦＤＤ対応送受信機の受信感度向上の検討を下記のように行ったものである。  
一般的に、ＦＤＤ方式に対応した携帯電話基地局では、漏洩送信信号と受信妨害波信号との３次相互歪み信号が受信信号に重畳し、受信機の受信感度劣化が問題となる。
【００１０】
図１１は、漏洩送信信号による受信機の受信感度劣化を示している。送信機３２から出力された送信信号は、電力増幅器２７で増幅され、デュプレクサ２を介しアンテナ１へと接続される。一方、アンテナ１には、受信信号ＲＸと受信妨害波信号ＢＬが入力される。受信信号ＲＸと、受信妨害波信号ＢＬはデュプレクサ２を介して低雑音増幅器３へと入力される。同時に、電力増幅器２７とデュプレクサ２を介して、受信機に漏れこむ送信信号、すなわち漏洩送信信号ＴＸ-leak（以下単にＴＸ）も低雑音増幅器３へと入力される。低雑音増幅器からは、増幅された受信信号ＲＸと、低雑音増幅器の非線形特性により発生した受信妨害波信号ＢＬと漏洩送信信号ＴＸとの３次相互歪み信号ＩＭ３が出力され、受信機へと入力される。この時、３次相互歪み信号ＩＭ３は、受信信号ＲＸに同周波数で重畳し、受信機の受信感度劣化原因となる。
【００１１】
携帯電話小型基地局に向けては、体積、コスト削減のため、デュプレクサ、ＲＦフィルタの小型化が必須となる。デュプレクサ、ＲＦフィルタの小型化に伴い、送受信機間デュプレクサのアイソレーションは劣化し、受信機に入力される漏洩送信信号強度は増大する。これに伴い、受信信号に重畳する３次相互歪み成分の強度も増大し、受信感度劣化問題が顕著となる。
【００１２】
本発明者らは、上記非特許文献１に記載のように、低雑音増幅器出力を分配し、受信信号検出ブロックと歪み信号検出ブロックとを備えた送受信機について検討した。歪み信号検出ブロックで３次相互歪み信号を検出し、受信信号から３次相互歪み成分を差し引くことで、受信感度劣化を回避可能となる。一方で、歪み信号検出ブロックは、３次相互歪み増幅器とＲＦミキサーを必要とするため、部品数増加による基地局体積の増大が問題となることが明らかとなった。
【００１３】
また、上記特許文献１のように３次相互歪み相殺型低雑音増幅器の受信機への適用を検討した。３次相互歪み相殺型低雑音増幅器を用いることにより、低雑音増幅器部における３次相互歪み信号の生成を抑制できる。しかし、受信機全体では、ＲＦミキサーにおける３次相互歪み信号の発生も問題となる。低雑音増幅器は、ＩＭＴ−Ａでの広帯域通信、またはマルチバンド対応を考慮すると広帯域特性が必要となる。その結果、低雑音増幅器部では受信信号以外に、周波数が異なる漏洩送信信号と、受信妨害波信号も同様に増幅される。また、体積、コストの観点から、低雑音増幅器とＲＦミキサーの段間にあるＲＦフィルタの信号選択度は制限される。その結果、ＲＦミキサーには、低雑音増幅器同様、漏洩送信信号と受信妨害波信号が入力され、３次相互歪み信号が生成されることが明らかとなった。
【００１４】
一方、上記特許文献２のようにＲＦミキサー出力を分配し、受信信号検出ブロックと受信妨害波信号検出ブロックとを備えた送受信機についても検討した。検出妨害波信号と、既知であるベースバンド送信信号とで再生３次相互歪み信号を生成し、受信信号から３次相互歪み成分を差し引くことで、受信感度劣化を回避可能となる。一方で、受信妨害波信号を検出するには、ＲＦミキサー出力で検出するのに十分な受信妨害波信号強度を必要とするため、低雑音増幅器、段間ＲＦフィルタ、ＲＦミキサーの周波数帯域を制限する必要がある。更に、低雑音増幅器とＲＦミキサーで発生する漏洩送信信号と受信妨害波信号との２次相互歪み成分は受信妨害波信号に重畳するため、受信妨害波信号の検出感度劣化が問題となることが明らかとなった。
【００１５】
本発明は、以上のような本発明に先立った本発明者等の検討の結果、なされたものである。
【００１６】
従って、本発明の目的とするところは、携帯電話対応の送受信機や小型基地局において、部品点数の増加を抑えつつ、受信信号に重畳する歪み信号成分を高い精度で相殺し、受信機の受信感度劣化を低減することにある。
【００１７】
本発明の前記ならびにその他の目的と新規な特徴は、本明細書の記述および添付図面から明らかになるであろう。
【課題を解決するための手段】
【００１８】
本願において開示される発明のうち、代表的なものの概要を簡単に説明すれば、次の通りである。  
すなわち、本発明の１つの代表的な送受信機は、送信機と、前記送信機に送信ディジタル信号を供給するディジタル信号処理部と、受信信号に含まれる受信アナログ信号を受信ディジタル信号に変換して前記ディジタル信号処理部へ供給する受信ブロックと、前記受信信号に含まれる受信２次相互歪みアナログ信号を受信２次相互歪みディジタル信号に変換して前記ディジタル信号処理部へ供給する歪み検出ブロックとを有する受信機とを備え、前記ディジタル信号処理部は、前記受信２次相互歪みディジタル信号と前記送信ディジタル信号とから、前記受信ディジタル信号に含まれる受信３次相互歪み成分を相殺する再生受信３次相互歪みディジタル信号を生成することを特徴とする。
【発明の効果】
【００１９】
本願において開示される発明のうち、代表的なものによって得られる効果を簡単に説明すれば以下の通りである。すなわち、本発明によれば、ＦＤＤ通信対応送受信機において、部品点数の増加を抑えつつ、送信機から受信機への漏洩送信信号起因の受信感度劣化を大幅に低減することが可能となる。
【図面の簡単な説明】
【００２０】
【図１】本発明の実施の形態１によるＬｏｗ−ＩＦダウンコンバージョン受信機を備えた送受信機を示す図である。
【図２Ａ】図１に示した送受信機の信号スペクトラムを示す図である。
【図２Ｂ】図１に示した送受信機の動作を説明する図である。
【図３】本発明の実施の形態２によるＬｏｗ−ＩＦダウンコンバージョン受信機を備えた送受信機を示す図である。
【図４】本発明の実施の形態３によるダイレクトダウンコンバージョン受信機を備えた送受信機を示す図である。
【図５Ａ】図４に示した送受信機の信号スペクトラムを示す図である。
【図５Ｂ】図４に示した送受信機の動作を説明する図である。
【図６】本発明の実施の形態４によるダイレクトダウンコンバージョン受信機を備えた送受信機を示す図である。
【図７】本発明の実施の形態５によるダイレクトダウンコンバージョン受信機を備えた送受信機を示す図である。
【図８Ａ】実施の形態５における送受信機の動作を説明する図である。
【図８Ｂ】実施の形態５における送受信機の動作を説明する図である。
【図９】本発明の実施の形態６によるＲＦＩＣと、アンテナスイッチＭＭＩＣとＲＦ電力増幅器とを内蔵したＲＦモジュールと、ベースバンド信号処理ＬＳＩとを搭載した携帯電話の構成を示すブロック図である。
【図１０】本発明の実施の形態７によるＲＦユニットと、ＲＦ電力増幅器からなるＲＦモジュールと、ベースバンド信号処理ＬＳＩと、アンテナとデュプレクサと低雑音増幅器からなるアンテナモジュールとで構成された携帯電話基地局の構成を示すブロック図である。
【図１１】従来技術における３次相互歪みによる受信感度劣化課題を示す図である。
【発明を実施するための形態】
【００２１】
以下、本発明を実施するための形態を図面に基づいて詳細に説明する。尚、発明を実施するための形態を説明するための全図において、同一の機能を有する部品には同一の符号を付して、その繰り返しの説明は省略する。
【実施例１】
【００２２】
図１は、本発明の代表的な実施の形態として、本発明の実施例１によるＬｏｗ−ＩＦダウンコンバージョン受信機方式を用いた、通信周波数帯Ａ対応のＦＤＤ対応送受信機を示す図である。実施例１の送受信機は、図１に示したように、送信機（３２）と、受信機（３１）と、ディジタル信号処理部（３３）を含んでいる。送信機は、Ｄ／Ａ変換器（２３）と、送信変調器（２６）とを含んでいる。送信機（３２）において、Ｄ／Ａ変換器（２３）は、ディジタル信号処理部（３３）から供給された送信ディジタル信号を送信アナログ信号に変換する。送信機（３２）において、送信変調器（２６）は、Ｄ／Ａ変換器（２３）から供給された送信アナログ信号をＲＦ送信信号に変換する。
【００２３】
受信機（３１）は、受信ブロック（４４）と、歪み検出ブロック（４５）と、低雑音増幅器（３）とを含んでいる。受信ブロックは、受信信号用Ａ／Ｄ変換器（１０）と、受信復調器（５）とを含んでいる。受信ブロック（４４）において、受信復調器は、低雑音増幅器で増幅されたＲＦ受信信号を受信アナログ信号に変換する。受信ブロックにおいて、受信信号Ａ／Ｄ変換器は、受信復調器から供給された受信アナログ信号を受信ディジタル信号に変換する。
【００２４】
歪み検出ブロック（４５）は、歪み信号Ａ／Ｄ変換器（１１）を含んでおり、この歪み信号Ａ／Ｄ変換器は、低雑音増幅器（３）から供給された受信２次相互歪みアナログ信号を受信２次相互歪みディジタル信号に変換する。
【００２５】
ディジタル信号処理部（３３）には、受信信号Ａ／Ｄ変換器からの受信ディジタル信号と、歪み信号Ａ／Ｄ変換器からの受信２次相互歪みディジタル信号とが入力される。ディジタル信号処理部（３３）では、受信２次相互歪みディジタル信号と送信ディジタル信号とで、再生受信３次相互歪みディジタル信号を生成し、この再生受信３次相互歪みディジタル信号で、受信ディジタル信号に含まれる受信３次相互歪み信号を相殺する。
【００２６】
実施例１は、「通信周波数帯Ａに対応するＬｏｗ−ＩＦ受信機」に特徴があり、その構成をより具体的に説明する。  
図２Ａは、図１に示した送受信機の信号スペクトラムを示す図である。また、図２Ｂは、図１に示した送受信機の動作を説明する図である。
【００２７】
ＲＦ受信信号は、ＲＦ送信漏洩信号ＴXと、妨害波信号ＢLと、受信信号ＲXとを含んでいる。ＲＦ送信漏洩信号ＴXは、ＲＦ送信信号の減衰形である。通信周波数帯Ａでは、ＲＦ受信信号ＲXの周波数は妨害波信号ＢLの周波数よりも低く、妨害波信号の周波数はＲＦ送信漏洩信号ＴXの周波数よりも低い。
【００２８】
ディジタル信号処理部３３の送信信号制御部２２から、ＩＱ送信ディジタル信号がＤ／Ａ変換器２３へ入力される。Ｄ／Ａ変換器２３では、ＩＱ送信ディジタル信号をＩＱ送信アナログ信号に変換する。ＩＱ送信アナログ信号は、送信ベースバンド増幅器２４で増幅され、送信ベースバンドフィルタ２５で不要周波数成分を除去した後、ＩＱ送信変調器２６へと入力される。ＩＱ送信変調器では、ＩＱ送信ローカル信号生成部２８から供給されるＩＱ送信ローカル信号により、ＩＱ送信アナログ信号の周波数変換を行い、ＲＦ送信信号を生成する。電力増幅器２７では、ＩＱ送信変調器２６から供給されるＲＦ送信信号を増幅し、その出力はデュプレクサ２を介してアンテナ１へと供給される。
【００２９】
低雑音増幅器３には、アンテナ１、デュプレクサ２を介して、ＲＦ受信信号ＲＸと、受信妨害波信号ＢＬが入力される。更に低雑音増幅器３には、電力増幅器２７、デュプレクサ２を介して、ＲＦ漏洩送信信号（ＴＸ）も同時に入力される。低雑音増幅器３は、ＲＦ受信信号ＲＸと、受信妨害波信号ＢＬと、ＲＦ漏洩送信信号（ＴＸ）とを増幅し、出力する。同時に、低雑音増幅器３では、低雑音増幅器３の非線形性により、受信妨害波信号とＲＦ漏洩送信信号を基に、受信２次相互歪みアナログ信号（Ｓ’１）と、受信３次相互歪みアナログ信号（Ｓ１）とが生成される。
【００３０】
ＲＦ受信信号と、受信妨害波信号と、ＲＦ漏洩送信信号と、受信２次相互歪みアナログ信号と、受信３次相互歪みアナログ信号とは、低雑音増幅器３から、受信ブロック４４と、歪み検出ブロック４５とに供給される。
【００３１】
受信ブロック４４は、受信ＲＦフィルタ４と、受信復調器５と、受信ローカル信号生成部２９と、受信ベースバンドフィルタ６と、受信ベースバンド増幅器８と、受信信号Ａ／Ｄ変換器１０とを含んでいる。低雑音増幅器３からの受信信号は、ＲＦ受信信号（ＲＸ）と、受信妨害波信号（ＢＬ）と、ＲＦ漏洩送信信号（ＴＸ）と、受信２次相互歪み成分ＩＭ２を含む受信２次相互歪みアナログ信号Ｓ’１と、受信３次相互歪み成分ＩＭ３を含む受信３次相互歪みアナログ信号Ｓ１とを含む（図２Ａ）。この受信信号は、受信ＲＦフィルタ４を介して、受信復調器５へと入力される。受信ＲＦフィルタ４は、例えばハイパスフィルタであり、ＲＦ受信信号の内、受信２次相互歪みアナログ信号Ｓ’１をカットした受信３次相互歪みアナログ信号Ｓ１（＝ＲＸ＋ＩＭ３＋ＢＬ＋ＴＸ）を選択する。受信復調器５では、受信ローカル信号生成部２８から供給される受信ローカル信号により、ＲＦ受信信号を受信アナログ信号に変換する。この時、低雑音増幅器から供給された受信３次相互歪みアナログ信号と、受信復調器５の非線形性により生成された受信３次相互歪みアナログ信号とが、受信アナログ信号に受信３次相互歪み成分ＩＭ３として重畳する（図２Ｂの（Ａ））。受信復調器５から供給された受信アナログ信号は、受信ベースバンドフィルタ６と、受信ベースバンド増幅器８とを介して、受信信号Ａ／Ｄ変換器１０へと入力される。受信信号Ａ／Ｄ変換器１０では、受信アナログ信号を受信ディジタル信号へと変換し、ディジタル信号処理部３３へと供給する。
【００３２】
歪み検出ブロック４５は、低雑音増幅器３と受信ＲＦフィルタ４との間のノードＰに接続された２次相互歪み選択フィルタ７と、２次相互歪み増幅器９と、歪み信号Ａ／Ｄ変換器１１とを含む。２次相互歪み選択フィルタ７は、例えばローパスフィルタであり、低雑音増幅器３から供給されたＲＦ受信信号と、受信妨害波信号と、ＲＦ漏洩送信信号と、受信２次相互歪みアナログ信号と、受信３次相互歪みアナログ信号の内、受信２次相互歪みアナログ信号Ｓ’１を選択し（図２Ｂの（Ｂ））、２次相互歪み増幅器９へと供給する。受信２次相互歪みアナログ信号は、２次相互歪み増幅器９を介して、歪み信号Ａ／Ｄ変換器１１へと入力され、受信２次相互歪みディジタル信号へと変換され、ディジタル信号処理部３３へと入力される。
【００３３】
ディジタル信号処理部３３は、受信３次相互歪み再生部４６を含んでいる。受信３次相互歪み再生部４６は、二乗器１３と、ディジタルミキサ１５と、ディジタルＩＦ信号生成部３０と、ディジタルフィルタ１６と、除算器１７と、送信信号位相調整器１８と、受信ディジタル増幅器１２と、再生３次相互歪み信号振幅調整器１９と、再生３次相互歪み信号位相調整器１４と、３次相互歪み加算器２０と、再生信号振幅位相制御部３４とを含んでいる。二乗器１３では、歪み信号Ａ／Ｄ変換器１１から供給された受信２次相互歪みディジタル信号を二乗演算し、二乗受信２次相互歪みディジタル信号Ｓ’２を生成し（図２Ｂの（Ｃ））、ディジタルミキサ１５へ供給する。ディジタルミキサ１５では、ディジタルＩＦ信号生成部３０から供給されたディジタルＩＦ信号により、二乗受信２次相互歪みディジタル信号の周波数を、受信ディジタル信号Ｓ２の周波数と等しくなるように変換する。ディジタルミキサ１５から供給された二乗受信２次相互歪みディジタル信号Ｓ’２は、ディジタルフィルタ１６で不要成分を除去した後、除算器１７へと入力される。送信信号位相調整器１８では、送信信号制御部２２からの送信ディジタル信号の位相を、再生信号振幅位相制御部３４からのｔｘ＿ｄｅｌａｙ制御信号に基づいて調整する。この時、送信ディジタル信号の位相は、二乗受信２次相互歪みディジタル信号に含まれる送信エンベロープ信号の位相と一致するように調整される。除算器１７では、二乗受信２次相互歪みディジタル信号と送信ディジタル信号との除算演算が行われ、再生受信３次相互歪みディジタル信号Ｓ’３が生成される（図２Ｂの（Ｄ））。
【００３４】
実施例１は、「再生信号振幅位相制御部」を備えたことも特徴の１つである。
【００３５】
再生信号振幅位相制御部３４は、内部メモリを備えるものである。低雑音増幅器３の歪み特性係数と、受信変調器５の歪み特性係数と、送信機信号遅延量と、受信機信号遅延量とを保存しており、上記係数に基づいて、β制御信号と、ｔｘ＿ｄｅｌａｙ制御信号と、ｔ＿ｄｅｌａｙ制御信号とを生成する。
【００３６】
次に、低雑音増幅器３に入力されるＲＦ受信信号（ＲＸ）と、受信妨害波信号（ＢＬ）と、ＲＦ漏洩送信信号（ＴＸ）を式１とした時、受信アナログ信号に含まれる、受信３次相互歪み成分ＩＭ３を含む受信３次相互歪みアナログ信号Ｓ１と、受信２次相互歪み成分ＩＭ２を含む受信２次相互歪みアナログ信号Ｓ’１は、式２で表せる。
【００３７】
【数１】
2012060433.tif 000003
【００３８】
【数２】
2012060433.tif 000004
【００３９】
二乗器１３で生成された二乗受信２次相互歪みディジタル信号Ｓ’２は式３で表せる。
【００４０】
【数３】
2012060433.tif 000005
【００４１】
更に、除算器１７で生成された再生受信３次相互歪みディジタル信号Ｓ’３は式４で表わせる。
【００４２】
【数４】
2012060433.tif 000006
【００４３】
再生３次相互歪み信号振幅調整器１９では、式２のＳ１と式４のＳ’３において、ａ＝ｄとなるように振幅が調整されて、再生受信歪みディジタル信号Ｓ’４が生成される。なお、係数ａは低雑音増幅器３と、受信復調器５との３次相互歪み係数に依存し、係数ｄは低雑音増幅器３の２次相互歪み係数に依存している。
【００４４】
このように、再生３次相互歪み信号振幅調整器１９では、再生信号振幅位相制御部３４からのβ制御信号に基づいて、再生受信３次相互歪みディジタル信号Ｓ’３と、受信ディジタル信号Ｓ２に含まれる受信３次相互歪み成分ＩＭ３とが、同振幅となるように調整して再生受信歪みディジタル信号Ｓ’４を生成する（図２Ｂの（Ｅ））。また、再生３次相互歪み信号位相調整器１４では、再生信号振幅位相制御部３４からのｔ＿ｄｅｌａｙ制御信号に基づいて、再生受信３次相互歪みディジタル信号と、受信ディジタル信号Ｓ２に含まれる受信３次相互歪み成分とが、逆位相となるように調整される。３次相互歪み加算器２０では、再生受信３次相互歪みディジタル信号を調整した再生受信歪みディジタル信号Ｓ’４と受信ディジタル信号Ｓ２とが加算演算され、受信ディジタル信号に含まれる受信３次相互歪み成分が相殺される。受信３次相互歪み成分ＩＭ３が相殺された受信ディジタル信号Ｓ２、すなわちＲＦ受信ディジタル信号ＲＸ（図２Ｂの（Ｆ））は、ＩＱ受信検波器２１へ供給され、復調される。
【００４５】
本実施例では、低雑音増幅器と受信ブロックとの間に歪み検出ブロックを接し、受信信号に含まれる受信２次相互歪みディジタル信号をディジタル信号処理部へ供給し、ディジタル信号処理部で、受信２次相互歪みディジタル信号と送信ディジタル信号とから受信３次相互歪み成分を相殺する再生受信３次相互歪みディジタル信号等を生成するようにしている。そのため、受信信号に重畳する歪み信号成分を高い精度で相殺し、受信機の受信感度劣化を低減することができる。また、受信機のアナログ回路に追加される部品は、２次相互歪み選択フィルタと、２次相互歪み増幅器と、歪み信号Ａ／Ｄ変換器のみであり、送受信機のサイズやコストに影響を及ぼすような部品の数の増加を最小限に抑えることができる。
【００４６】
このように、本実施例によれば、ＦＤＤ通信対応送受信機において、部品点数の増加を抑えつつ、送信機から受信機への漏洩送信信号起因の受信感度劣化を大幅に低減することが可能となる。
【実施例２】
【００４７】
図３は、本発明の実施例２によるＬｏｗ−ＩＦダウンコンバージョン受信機方式を用いた通信周波数帯Ａ対応ＦＤＤ対応送受信機を示す図である。
【００４８】
本発明の実施例２による送受信機は、ディジタル信号処理部３３が、受信３次相互歪み再生部（４６）を含んでいる。受信３次相互歪み再生部は、二乗器（１３）と、ディジタルミキサ（１５）と、除算器（１７）と、再生３次相互歪み信号振幅位相調整部（１４、１９）と、３次相互歪み加算器（２０）を含んでいる。二乗器では、受信２次相互歪みディジタル信号を二乗演算し、二乗受信２次相互歪みディジタル信号を生成する。
【００４９】
ディジタルミキサにおいて、二乗受信２次相互歪みディジタル信号を、受信３次相互歪み信号と等しい周波数に変換する。除算器では、ディジタルミキサから供給された二乗受信２次相互歪みディジタル信号と送信ディジタル信号とを除算演算し、再生受信３次相互歪みディジタル信号を生成する。
【００５０】
再生３次相互歪み振幅位相調整部では、除算器から供給された再生受信３次相互歪みディジタル信号（Ｓ’３）の振幅と位相を、受信３次相互歪み信号と同振幅で逆位相となるように調整し、再生受信歪みディジタル信号Ｓ’４を生成する。３次相互歪み加算器２０では、再生３次相互歪み振幅位相調整部からの再生受信歪みディジタル信号Ｓ’４と受信信号Ａ／Ｄ変換器からの受信ディジタル信号Ｓ２との加算処理を行うことで、受信ディジタル信号ＲＸに含まれる３次相互歪み成分ＩＭ３を相殺する。
【００５１】
実施例２は、「適応フィルタ」を備えた点に特徴があり、その構成をより具体的に説明する。  
図１で示した通信周波数帯Ａ対応ＦＤＤ対応送受信機と比較し、再生３次相互歪み信号振幅調整器１９と、再生３次相互歪み信号位相調整器１４は、適応フィルタ４１で代替される。適応フィルタ４１では、３次相互歪み加算器２０で生成された受信ディジタル信号Ｓ２の強度を検知しながら、再生受信３次相互歪みディジタル信号Ｓ’３の振幅と位相を調整する。受信機の歪み特性や、送受信機の遅延時間量が時間で変化するシステムにおいて、再生受信３次相互歪みディジタル信号の振幅と位相を、適応フィルタ４１で追従させることにより、受信ディジタル信号に含まれる受信３次相互歪み成分を相殺する。受信３次相互歪み成分が相殺された受信ディジタル信号Ｓ２、すなわちＲＦ受信ディジタル信号ＲＸ）は、ＩＱ受信検波器２１へ供給され、復調される。
【００５２】
本実施例によれば、ＦＤＤ通信対応送受信機において、部品点数の増加を抑えつつ、送信機から受信機への漏洩送信信号起因の受信感度劣化を大幅に低減することが可能となる。
【実施例３】
【００５３】
図４は、本発明の実施例３によるダイレクトダウンコンバージョン受信機方式を用いた通信周波数帯Ｂ対応ＦＤＤ対応送受信機を示す図である。
【００５４】
本発明の実施例３では、ディジタル信号処理部は、受信３次相互歪み再生部を含む。この受信３次相互歪み再生部は、ディジタルミキサと、乗算器（４２）と、再生３次相互歪み信号振幅位相調整部（４１）と、３次相互歪み加算器（２０）を含んでいる。
【００５５】
ディジタルミキサでは、受信２次相互歪みディジタル信号を、受信３次相互歪み信号と等しい周波数に変換する。乗算器では、ディジタルミキサから供給された受信２次相互歪みディジタル信号と送信ディジタル信号とを乗算演算し、再生受信３次相互歪みディジタル信号を生成する。再生３次相互歪み振幅位相調整部では、乗算器から供給された再生受信３次相互歪みディジタル信号の振幅と位相を、受信３次相互歪み信号と同振幅で逆位相となるように調整する。
【００５６】
３次相互歪み加算器では、再生３次相互歪み振幅位相調整部からの再生受信３次相互歪みディジタル信号と受信信号Ａ／Ｄ変換器からの受信ディジタル信号との加算処理を行うことで、受信ディジタル信号に含まれる３次相互歪み成分を相殺する。
【００５７】
実施例３は、「通信周波数帯Ｂに対応するダイレクトコンバージョン受信機」に特徴があり、その構成をより具体的に説明する。  
通信周波数帯Ｂでは、妨害波信号周波数はＲＦ送信漏洩信号周波数よりも低く、ＲＦ送信漏洩信号周波数はＲＦ受信信号周波数よりも低い。
【００５８】
低雑音増幅器３には、アンテナ１、デュプレクサ２を介して、ＲＦ受信信号と、受信妨害波信号が入力される。更に低雑音増幅器３には、電力増幅器２７、デュプレクサ２を介して、ＲＦ漏洩送信信号も同時に入力される。低雑音増幅器３は、ＲＦ受信信号と、受信妨害波信号と、ＲＦ漏洩送信信号とを増幅し、出力する。同時に、低雑音増幅器３では、低雑音増幅器３の非線形性により、受信妨害波信号とＲＦ漏洩送信信号を基に、受信２次相互歪みアナログ信号と、受信３次相互歪みアナログ信号とが生成される。
【００５９】
ＲＦ受信信号と、受信妨害波信号と、ＲＦ漏洩送信信号と、受信２次相互歪みアナログ信号と、受信３次相互歪みアナログ信号とは、低雑音増幅器３から、受信ブロック４４と、歪み検出ブロック４５とに供給される。
【００６０】
受信ブロック４４は、受信ＲＦフィルタ４と、ＩＱ受信復調器５と、ＩＱ受信ローカル信号生成部２９と、ＩＱ受信ベースバンドフィルタ６と、ＩＱ受信ベースバンド増幅器８と、ＩＱ受信信号Ａ／Ｄ変換器１０とを含んでいる。低雑音増幅器３からの、ＲＦ受信信号と、受信妨害波信号と、ＲＦ漏洩送信信号と、受信２次相互歪みアナログ信号と、受信３次相互歪みアナログ信号とは、受信ＲＦフィルタ４を介して、ＩＱ受信復調器５へと入力される。ＩＱ受信復調器５では、ＩＱ受信ローカル信号生成部２８から供給されるＩＱ受信ローカル信号により、ＲＦ受信信号をＩＱ受信アナログ信号に変換する。この時、低雑音増幅器から供給された受信３次相互歪みアナログ信号と、受信復調器５の非線形性により生成された受信３次相互歪みアナログ信号とが、ＩＱ受信アナログ信号に受信３次相互歪み成分ＩＭ３として重畳する。ＩＱ受信復調器５から供給されたＩＱ受信アナログ信号は、ＩＱ受信ベースバンドフィルタ６と、ＩＱ受信ベースバンド増幅器８とを介して、ＩＱ受信信号Ａ／Ｄ変換器１０へと入力される。ＩＱ受信信号Ａ／Ｄ変換器１０では、ＩＱ受信アナログ信号をＩＱ受信ディジタル信号へと変換し、ディジタル信号処理部３３へと供給する。
【００６１】
歪み検出ブロック４５は、２次相互歪み選択フィルタ７と、２次相互歪み増幅器９と、歪み信号Ａ／Ｄ変換器１１を含む。２次相互歪み選択フィルタ７では、低雑音増幅器３から供給されたＲＦ受信信号と、受信妨害波信号と、ＲＦ漏洩送信信号と、受信２次相互歪みアナログ信号と、受信３次相互歪みアナログ信号の内、受信２次相互歪みアナログ信号を選択し、２次相互歪み増幅器９へと供給する。受信２次相互歪みアナログ信号は、２次相互歪み増幅器９を介して、歪み信号Ａ／Ｄ変換器１１へと入力され、受信２次相互歪みディジタル信号へと変換され、ディジタル信号処理部３３へと入力される。
【００６２】
ディジタル信号処理部３３は、受信３次相互歪み再生部４６を含んでいる。受信３次相互歪み再生部４６は、ディジタルミキサ１５と、ディジタルＩＦ信号生成部３０と、ディジタルフィルタ１６と、乗算器４２と、送信信号位相調整器１８と、ＩＱ受信ディジタル増幅器１２と、再生３次相互歪み信号振幅位相調整用適応フィルタ４１と、３次相互歪み加算器２０と、再生信号振幅位相制御部３４とを含んでいる。ディジタルミキサ１５では、ディジタルＩＦ信号生成部３０から供給されたディジタルＩＦ信号により、受信２次相互歪みディジタル信号の周波数を、ＩＱ受信ディジタル信号周波数と等しくなるように変換する。ディジタルミキサ１５から供給された受信２次相互歪みディジタル信号は、ディジタルフィルタ１６で不要成分を除去した後、乗算器４２へと入力される。送信信号位相調整器１８では、送信信号制御部２２からの送信ディジタル信号の位相を、再生信号振幅位相制御部３４からのｔｘ＿ｄｅｌａｙ制御信号に基づいて調整する。この時、送信ディジタル信号の位相は、受信２次相互歪みディジタル信号に含まれる送信エンベロープ信号の位相と一致するように調整される。
【００６３】
乗算器４２では、受信２次相互歪みディジタル信号と送信ディジタル信号との乗算演算が行われ、再生受信３次相互歪みディジタル信号が生成される。再生３次相互歪み信号振幅位相調整用適応フィルタ４１では、フィードバック受信ディジタル信号（Ｅｒｒｏｒ＿Ｉ／Ｑ）の信号強度に応じて、再生受信３次相互歪みディジタル信号の振幅と位相が調整される。その結果、再生３次相互歪み信号振幅位相調整用適応フィルタ４１出力での再生受信３次相互歪みディジタル信号は、ＩＱ受信ディジタル信号に含まれる受信３次相互歪み成分ＩＭ３に対して、同振幅で逆位相へと調整される。３次相互歪み加算器２０では、再生受信３次相互歪みディジタル信号とＩＱ受信ディジタル信号とが加算演算され、ＩＱ受信ディジタル信号に含まれる受信３次相互歪み成分が相殺される。受信３次相互歪み成分が相殺されたＩＱ受信ディジタル信号は、ＩＱ受信検波器２１へ供給され、復調される。
【００６４】
図５Ａは、図４に示した送受信機の信号スペクトラムを示す図である。また、図５Ｂは、図４に示した送受信機の動作を説明する図である。
【００６５】
低雑音増幅器３に入力されるＲＦ受信信号（ＲＸ）と、受信妨害波信号（ＢＬ）と、ＲＦ漏洩送信信号（ＴＸ）を式１とした時、ＩＱ受信アナログ信号ＳＩ１、ＳＱ１に含まれる、ＩＭ３を含む受信３次相互歪みアナログ信号Ｓ１と、受信２次相互歪み成分ＩＭ２を含む受信２次相互歪みアナログ信号Ｓ’１は式５で表せる。
【００６６】
【数５】
2012060433.tif 000007
【００６７】
乗算器４２で生成された再生受信３次相互歪みディジタル信号Ｓ’３は式６で表せる。
【００６８】
【数６】
2012060433.tif 000008
【００６９】
再生３次相互歪み信号振幅位相調整用適応フィルタ４１では、受信３次相互歪み成分Ｓ１と再生受信３次相互歪みディジタル信号Ｓ’３において、ａ＝ｄとなるように振幅が調整される。なお、係数ａは低雑音増幅器３と、受信復調器５との３次相互歪み係数に依存し、係数ｄは低雑音増幅器３の２次相互歪み係数に依存している。
【００７０】
本実施例によれば、ＦＤＤ通信対応送受信機において、部品点数の増加を抑えつつ、送信機から受信機への漏洩送信信号起因の受信感度劣化を大幅に低減することが可能となる。
【実施例４】
【００７１】
図６は、本発明の実施例４によるダイレクトダウンコンバージョン受信機方式を用いた通信周波数帯Ａ対応ＦＤＤ対応送受信機を示す図である。
【００７２】
本発明の実施例４によれば、受信機は、受信ブロックと歪み検出ブロックと、低雑音増幅器と含む。 受信ブロックは、受信信号用Ａ／Ｄ変換器と、受信復調器とを含んでいる。
【００７３】
受信ブロックにおいて、受信復調器は、低雑音増幅器で増幅されたＲＦ受信信号を受信アナログ信号に変換する。受信ブロックにおいて、受信信号Ａ／Ｄ変換器は、受信復調器から供給された受信アナログ信号を受信ディジタル信号に変換する。
【００７４】
歪み検出ブロックは、歪み信号Ａ／Ｄ変換器を含んでいる。この歪み検出ブロックにおいて、歪み信号Ａ／Ｄ変換器は、低雑音増幅器から供給された受信２次相互歪みアナログ信号を受信２次相互歪みディジタル信号に変換する。歪み検出ブロックにおいて、歪み信号Ａ／Ｄ変換器は、低雑音増幅器から供給された受信２次相互歪みアナログ信号を受信２次ディジタル信号に変換する。
【００７５】
ディジタル信号処理部には、受信信号Ａ／Ｄ変換器からの受信ディジタル信号と、歪み信号Ａ／Ｄ変換器からの受信２次相互歪みディジタル信号と、歪み信号Ａ／Ｄ変換器からの受信２次歪みディジタル信号とが入力される。このディジタル信号処理部は、２次相互歪み信号選択フィルタ（４７）と、２次歪み信号選択フィルタ（３５）と、受信３次相互歪み再生部（４６）と、受信２次歪み再生部（４８）とを含んでいる。
【００７６】
２次相互歪み信号選択フィルタでは、歪み信号Ａ／Ｄ変換器の出力信号から受信２次相互歪みディジタル信号を選択し、受信３次相互歪み再生部へと入力する。２次歪み信号選択フィルタでは、歪み信号Ａ／Ｄ変換器の出力信号から受信２次歪みディジタル信号を選択し、受信２次歪み再生部へと入力する。
【００７７】
２次歪み再生部は、再生２次歪み信号振幅位相調整部（３６、３７）と、２次相互歪み加算器（２０）とを含んでいる。２次歪み振幅位相調整部では、受信２次歪みディジタル信号の振幅と位相を、受信２次歪み信号と同振幅で逆位相となるように調整し再生受信２次歪みディジタル信号を生成する。２次歪み加算器では、再生２次歪み振幅位相調整部（１９）からの再生受信２次歪みディジタル信号と受信信号Ａ／Ｄ変換器からの受信ディジタル信号（ＳＩ２、ＳＱ２）との加算処理を行うことで、受信ディジタル信号ＲＸに含まれる２次歪み成分ＩＭ２を相殺する。
【００７８】
実施例４は、「２次歪みかつ３次相互歪み相殺型ダイレクトコンバージョン受信機」に特徴があり、その構成をより具体的に説明する。  
低雑音増幅器３には、アンテナ１、デュプレクサ２を介して、ＲＦ受信信号と、受信妨害波信号が入力される。更に低雑音増幅器３には、電力増幅器２７、デュプレクサ２を介して、ＲＦ漏洩送信信号も同時に入力される。低雑音増幅器３は、ＲＦ受信信号と、受信妨害波信号と、ＲＦ漏洩送信信号とを増幅し、出力する。同時に、低雑音増幅器３では、低雑音増幅器３の非線形性により、受信妨害波信号とＲＦ漏洩送信信号を基に、受信２次相互歪みアナログ信号と、受信３次相互歪みアナログ信号とが生成される。更に、低雑音増幅器３では、ＲＦ漏洩送信信号から受信２次歪みアナログ信号が生成される。
【００７９】
ＲＦ受信信号と、受信妨害波信号と、ＲＦ漏洩送信信号と、受信２次相互歪みアナログ信号と、受信３次相互歪みアナログ信号と、受信２次歪みアナログ信号とは、低雑音増幅器３から、受信ブロック４４と、歪み検出ブロック４５とに供給される。
【００８０】
受信ブロック４４は、受信ＲＦフィルタ４と、ＩＱ受信復調器５と、ＩＱ受信ローカル信号生成部２９と、ＩＱ受信ベースバンドフィルタ６と、ＩＱ受信ベースバンド増幅器８と、ＩＱ受信信号Ａ／Ｄ変換器１０とを含んでいる。低雑音増幅器３からの、ＲＦ受信信号と、受信妨害波信号と、ＲＦ漏洩送信信号と、受信２次相互歪みアナログ信号と、受信３次相互歪みアナログ信号と、受信２次歪みアナログ信号とは、受信ＲＦフィルタ４を介して、ＩＱ受信復調器５へと入力される。ＩＱ受信復調器５では、ＩＱ受信ローカル信号生成部２８から供給されるＩＱ受信ローカル信号により、ＲＦ受信信号をＩＱ受信アナログ信号に変換する。この時、低雑音増幅器３から供給された受信３次相互歪みアナログ信号と、ＩＱ受信復調器５の非線形性により生成された受信３次相互歪みアナログ信号とが、ＩＱ受信アナログ信号に受信３次相互歪み成分として重畳する。更に、低雑音増幅器３から供給された受信２次歪みアナログ信号と、ＩＱ受信復調器５の非線形性により生成された受信２次歪みアナログ信号とが、ＩＱ受信アナログ信号に受信２次歪み成分ＩＭ２として重畳する。ＩＱ受信復調器５から供給されたＩＱ受信アナログ信号は、ＩＱ受信ベースバンドフィルタ６と、ＩＱ受信ベースバンド増幅器８とを介して、ＩＱ受信信号Ａ／Ｄ変換器１０へと入力される。ＩＱ受信信号Ａ／Ｄ変換器１０では、ＩＱ受信アナログ信号をＩＱ受信ディジタル信号へと変換し、ディジタル信号処理部３３へと供給する。
【００８１】
歪み検出ブロック４５は、２次相互歪み選択フィルタ７と、２次相互歪み増幅器９と、歪み信号Ａ／Ｄ変換器１１を含む。２次相互歪み選択フィルタ７では、低雑音増幅器３から供給されたＲＦ受信信号と、受信妨害波信号と、ＲＦ漏洩送信信号と、受信２次相互歪みアナログ信号と、受信３次相互歪みアナログ信号と、受信２次歪みアナログ信号の内、受信２次相互歪みアナログ信号と、受信２次歪みアナログ信号とを選択し、２次相互歪み増幅器９へと供給する。受信２次相互歪みアナログ信号と、受信２次歪みアナログ信号とは、２次相互歪み増幅器９を介して、歪み信号Ａ／Ｄ変換器１１へと入力され、受信２次相互歪みディジタル信号と、受信２次歪みディジタル信号とに変換され、ディジタル信号処理部３３へと入力される。
【００８２】
ディジタル信号処理部３３は、２次相互歪み信号選択フィルタ４７と、２次歪み信号選択フィルタ３５と、受信３次相互歪み再生部４６と、受信２次歪み再生部４８とを含んでいる。２次相互歪み信号選択フィルタ４７では、歪み信号Ａ／Ｄ変換器１１から供給された受信２次相互歪みディジタル信号と、受信２次歪みディジタル信号との内、受信２次相互歪みディジタル信号が選択され、受信３次相互歪み再生部４６へと供給される。一方、２次歪み信号選択フィルタ３５では、受信２次歪みディジタル信号が選択され、受信２次歪み再生部４８へと供給される。受信２次歪み再生部４８は、再生２次歪み信号振幅調整器３６と、再生２次歪み信号位相調整器３７を含んでいる。再生２次歪み信号振幅調整器３６では、再生信号振幅位相制御部３４からのα制御信号に基づいて、再生受信２次歪みディジタル信号と、受信ディジタル信号に含まれる受信２次歪み成分ＩＭ２とが、同振幅となるように調整される。再生２次歪み信号位相調整器３７では、再生信号振幅位相制御部３４からのｉｍ＿ｄｅｌａｙ制御信号に基づいて、再生受信２次歪みディジタル信号と、受信ディジタル信号に含まれる受信２次歪み成分ＩＭ２とが、逆位相となるように調整される。
【００８３】
受信２次歪み再生部４８から出力された再生受信２次歪みディジタル信号は、受信３次相互歪み再生部４６からの再生受信３次相互歪みディジタル信号Ｓ’３と合成された後、歪み加算器２０へと供給される。歪み加算器２０では、再生受信３次相互歪みディジタル信号Ｓ’３と、再生受信２次歪みディジタル信号とを合成した再生受信歪みディジタル信号Ｓ’４と、受信ディジタル信号ＲＸとが加算演算され、受信ディジタル信号ＲＸに含まれる受信３次相互歪み成分ＩＭ３と受信２次歪み成分ＩＭ２が相殺される。受信２次歪み成分と、受信３次相互歪み成分とが相殺された受信ディジタル信号は、ＩＱ受信検波器２１へ供給され、復調される。
【００８４】
本実施例によれば、ＦＤＤ通信対応送受信機において、部品点数の増加を抑えつつ、送信機から受信機への漏洩送信信号起因の受信感度劣化を大幅に低減することが可能となる。
【実施例５】
【００８５】
図７は、本発明の実施例５によるダイレクトダウンコンバージョン受信機方式を用いた通信周波数帯Ａ対応ＦＤＤ対応送受信機を示す図である。本発明の実施例５では、受信機が、受信ブロックと歪み検出ブロックと、低雑音増幅器と含んでいる。受信ブロックは、受信信号用Ａ／Ｄ変換器と、受信復調器とを含んでいる。
【００８６】
受信ブロックにおいて、受信復調器は、低雑音増幅器で増幅されたＲＦ受信信号を受信アナログ信号に変換する。受信ブロックにおいて、受信信号Ａ／Ｄ変換器は、受信復調器から供給された受信アナログ信号を受信ディジタル信号に変換する。
【００８７】
歪み検出ブロックは、歪み信号Ａ／Ｄ変換器を含んでいる。この歪み検出ブロックにおいて、歪み信号Ａ／Ｄ変換器は、前記低雑音増幅器から供給された受信２次相互歪みアナログ信号を受信２次相互歪みディジタル信号に変換する。歪み検出ブロックにおいて、歪み信号Ａ／Ｄ変換器は、低雑音増幅器から供給された受信２次相互歪みアナログ信号を受信２次ディジタル信号に変換する。
【００８８】
ディジタル信号処理部には、受信信号Ａ／Ｄ変換器からの受信ディジタル信号と、歪み信号Ａ／Ｄ変換器からの受信２次相互歪みディジタル信号と、歪み信号Ａ／Ｄ変換器からの受信２次歪みディジタル信号とが入力される。ディジタル信号処理部は、送信信号二乗器（４０）と、二乗送信信号振幅位相調整部（３９）と、２次相互歪み加算器（３８）と、受信３次相互歪み再生部（４６）と、受信２次歪み再生部（４９）とを含んでいる。
【００８９】
送信信号二乗器は、送信ディジタル信号を二乗演算し、二乗送信ディジタル信号を生成する。二乗送信信号振幅位相調整部では、送信信号二乗器からの二乗送信ディジタル信号の振幅と位相を、受信２次相互歪みディジタル信号に含まれる受信２次歪みディジタル信号と、同振幅で逆位相となるように調整する。２次相互歪み加算器では、歪み信号Ａ／Ｄ変換器からの受信２次相互歪みディジタル信号と二乗送信信号振幅位相調整部からの二乗送信ディジタル信号との加算処理を行うことで、受信２次相互歪みディジタル信号に含まれる受信２次歪みディジタル信号を相殺する。
【００９０】
受信３次相互歪み再生部には、２次相互歪み加算器から受信２次相互歪みディジタル信号が供給さる。受信２次歪み再生部には、二乗送信信号振幅位相調整部から二乗送信ディジタル信号が供給さる。受信２次歪み再生部は、再生２次歪み信号振幅位相調整部（３６、３７）と、２次相互歪み加算器（２０）とを含んでいる。２次歪み振幅位相調整部では、二乗送信信号振幅位相調整部からの二乗送信ディジタル信号の振幅と位相を、受信２次歪み信号と同振幅で逆位相となるように調整し、再生受信２次歪みディジタル信号を生成する。２次歪み加算器では、再生２次歪み振幅位相調整部からの再生受信２次歪みディジタル信号と、受信信号Ａ／Ｄ変換器からの受信ディジタル信号との加算処理を行うことで、受信ディジタル信号に含まれる２次歪み成分ＩＭ２を相殺する。
【００９１】
実施例５は、「２次歪みと２次相互歪み分離型ダイレクトコンバージョン受信機」に特徴があり、その構成をより具体的に説明する。  
図８Ａ、図８Ｂは、実施例５における送受信機の動作を説明する図である。ＲＦ受信信号は、ＲＦ送信漏洩信号ＴXと、妨害波信号ＢLと、受信信号ＲXを含み、ＲＦ送信漏洩信号ＴXは、ＲＦ送信信号の減衰形である。妨害波信号ＢLの周波数はＲＦ送信漏洩信号ＴXの周波数よりも低く、ＲＦ送信漏洩信号ＴXの周波数はＲＦ受信信号ＲXの周波数よりも低い。
【００９２】
ＩＱ受信信号Ａ／Ｄ変換器１０からディジタル信号処理部３３へと供給されたＩＱ受信アナログ信号（ＳＩ１、ＳＱ１）には、図８Ａに示したように、受信信号成分ＲＸに、受信２次歪み成分ＩＭ２と、受信３次相互歪み成分ＩＭ３とが重畳している。また、歪み信号Ａ／Ｄ変換器１１からディジタル信号処理部３３へと供給された受信２次歪みディジタル信号と、受信２次相互歪みディジタル信号Ｓ’１とは、ある周波数で重畳している。
【００９３】
ディジタル信号処理部３３は、送信信号二乗器４０と、二乗送信信号振幅位相調整部３９と、２次相互歪み加算器３８と、受信３次相互歪み再生部４６と、受信２次歪み再生部４９とを含んでいる。送信信号二乗器４０では、送信信号制御部２２から供給された送信ディジタル信号を二乗演算することで、二乗送信ディジタル信号Ｓ’１ｂを生成する。二乗送信ディジタル信号Ｓ’１ｂは、二乗送信信号振幅位相調整部３９で、振幅と位相が調整される。この時、二乗送信ディジタル信号の振幅と位相は、受信２次相互歪みディジタル信号に重畳する受信２次歪みディジタル信号の振幅と位相とに対して、同振幅で逆位相とするように調整される。２次相互歪み加算器３８では、二乗送信ディジタル信号Ｓ’１ｂと、受信２次相互歪みディジタル信号Ｓ’１とが加算処理され、受信２次相互歪みディジタル信号に重畳した受信２次歪みディジタル信号が相殺され（図８Ｂ、Ｓ’１ａ）、受信３次相互歪み再生部４６へと入力される。受信３次相互歪み再生部４６では、二乗器１３により受信２次相互歪みディジタル信号（Ｓ’１ａ）を二乗演算することで、二乗受信２次相互歪みディジタル信号Ｓ’２を生成し、さらに、再生受信３次相互歪みディジタル信号Ｓ’３を生成する。送信信号二乗器４０で生成された二乗送信ディジタル信号は、受信２次歪み再生部４９へも入力される。受信２次歪み再生部４９から出力された再生受信２次歪みディジタル信号は、受信３次相互歪み再生部４６からの再生受信３次相互歪みディジタル信号Ｓ’３と合成された後、歪み加算器２０へと供給される。歪み加算器２０では、再生受信３次相互歪みディジタル信号Ｓ’３と、再生受信２次歪みディジタル信号とを合成した再生受信歪みディジタル信号Ｓ’４と、受信ディジタル信号ＲＸ（ＳＩ１、ＳＱ１）とが加算演算され、受信ディジタル信号に含まれる受信３次相互歪み成分ＩＭ３と受信２次歪み成分ＩＭ２が相殺される。受信２次歪み成分と、受信３次相互歪み成分とが相殺された受信ディジタル信号ＲＸは、ＩＱ受信検波器２１へ供給され、復調される。
【００９４】
本実施例によれば、ＦＤＤ通信対応送受信機において、部品点数の増加を抑えつつ、送信機から受信機への漏洩送信信号起因の受信感度劣化を大幅に低減することが可能となる。
【実施例６】
【００９５】
次に、本発明を携帯電話端末に適用した構成例について、図９を参照しながら説明する。本発明の最も具体的な実施の形態では、前記各実施例の送受信機が携帯電話用端末向けＲＦＩＣ（Ｒａｄｉｏ  Ｆｒｅｑｕｅｎｃｙ  Ｉｎｔｅｇｒａｔｅｄ  Ｃｉｒｃｕｉｔｓ）に実装されている。
【００９６】
図９は、本発明の実施例による携帯電話の構成を示すブロック図である。この携帯電話は、各々が図４で説明した送受信機に相当する複数の送受信機ユニット（ＴＲ＿Ｕ）４３と、送信受信信号インターフェース（ＴＲＸ＿ＩＮＴ）を同一半導体集積回路に集積したＲＦＩＣ９１と、アンテナスイッチＭＭＩＣ９２とデュプレクサ９３とＲＦ電力増幅器９４とを内蔵したＲＦモジュール９５と、ベースバンド信号処理ＬＳＩ９６とを搭載して構成されている。尚、ＭＭＩＣは、Ｍｉｃｒｏｗａｖｅ  Ｍｏｎｏｌｉｔｈｉｃ  ＩＣの略である。
【００９７】
図９で、携帯電話の送受信用アンテナＡＮＴ９７には、ＲＦモジュール９５のアンテナスイッチＭＭＩＣ９２の共通の入出力端子Ｉ／Ｏが接続されている。ベースバンド信号処理ＬＳＩ９６からの制御信号Ｂ、Ｂ＿Ｃｎｔは、ＲＦ＿ＩＣ９１を経由してアンテナスイッチＭＭＩＣ９２のコントローラ集積回路９８に供給される。送受信用アンテナＡＮＴ９７から共通の入出力端子Ｉ／ＯへのＲＦ信号の流れは携帯電話の受信動作ＲＸとなり、共通の入出力端子Ｉ／Ｏから送受信用アンテナＡＮＴ９７へのＲＦ信号の流れは携帯電話の送信動作ＴＸとなる。
【００９８】
ＲＦＩＣ９１は、ベースバンド信号処理ＬＳＩ９６からの送信ディジタルベースバンド信号ＴｘＤＢＩ、ＴｘＤＢＱをＲＦ送信信号に周波数アップコンバージョンを行う。逆に、ＲＦＩＣ９１は、送受信用アンテナＡＮＴ９７で受信されたＲＦ受信信号を受信ディジタルベースバンド信号ＲｘＤＢＩ、ＲｘＤＢＱに周波数ダウンコンバージョンを行いベースバンド信号処理ＬＳＩ９６に供給する。
【００９９】
ＲＦモジュール９５のアンテナスイッチＭＭＩＣ９２は共通の入出力端子Ｉ／Ｏと送受信端子ＴＲｘ１、ＴＲｘ２、ＴＲｘ３、ＴＲｘ４、ＴＲｘ５のいずれか単一又は複数の端子の間で信号経路を確立して、受信動作ＲＸと送信動作ＴＸとのいずれかを行う。
【０１００】
尚、ベースバンド信号処理ＬＳＩ（ＢＢ＿ＬＳＩ）９６は、携帯電話の外部不揮発性メモリ（図示略）とアプリケーションプロセッサ（図示略）とに接続されている。アプリケーションプロセッサは、携帯電話の液晶表示装置（図示略）とキー入力装置（図示略）とに接続され、汎用プログラムやゲームを含む種々のアプリケーションプログラムを実行することができる。
【０１０１】
携帯電話等のモバイル機器のブートプログラム（起動イニシャライズプログラム）、オペレーティングシステムプログラム（ＯＳ）、ベースバンド信号処理ＬＳＩの内部のディジタルシグナルプロセッサ（ＤＳＰ）によるＩＭＴ−Ａ方式の受信ベースバンド信号に関する位相振幅復調と送信ベースバンド信号に関する位相振幅変調のためのプログラム、及び、種々のアプリケーションプログラムは、外部不揮発性メモリに格納されることができる。
【０１０２】
本実施例によれば、ＦＤＤ通信可能な携帯電話において、受信妨害波信号と、漏洩送信信号とが起因の受信感度劣化を緩和し、携帯電話の受信時の誤動作を回避することができる。
【実施例７】
【０１０３】
本発明の最も具体的な他の実施の形態では、前記各実施例の送受信機が携帯電話用基地局向け送受信ユニットに具備されている。
【０１０４】
次に、本発明の実施例になる、携帯電話基地局の構成例について、図１０を参照しながら説明する。図１０は、本発明の実施例による携帯電話基地局の構成を示すブロック図である。携帯電話基地局は、ベースバンド信号処理ＬＳＩ９６と、ＲＦモジュール９８と、アンテナモジュール１０１とで構成されている。ＲＦモジュール９８は、各々が図３で説明した送受信機に相当する複数の送受信機ユニット（ＴＲ＿Ｕ）４３かディスクリート部品で構成され複通信周波数帯域の各帯域に対応する機能を有するＲＦユニット９９と、複数のＲＦ電力増幅器９４からなる。アンテナモジュール１０１は、複通信周波数帯域の各帯域に対応するための複数のアンテナ９７と、複数のデュプレクサ９３と、複数の低雑音増幅器１００で構成されている。
【０１０５】
本実施例によれば、ＦＤＤ通信可能な携帯電話基地局において、受信妨害波信号と、漏洩送信信号とが起因の受信感度劣化を緩和し、携帯電話の受信時の誤動作を回避することができる。
【０１０６】
以上、本発明者によってなされた発明を実施形態に基づいて具体的に説明したが、本発明はそれに限定されるものではなく、その要旨を逸脱しない範囲において種々変形可能であることは言うまでもない。
【０１０７】
例えば、図９に示す携帯電話では、通信用ＲＦＩＣとベースバンド信号処理ＬＳＩとはそれぞれ別の半導体チップで構成されていたが、別な実施形態ではそれらは１つの半導体チップに統合された統合ワンチップとされることができる。
【符号の説明】
【０１０８】
１、９７  アンテナ
２  デュプレクサ
３  低雑音増幅器
４、ＲＦフィルタ
５、２６  ミキサー
６、７、２５  ベースバンドフィルタ
８、９、２４  ベースバンド増幅器
１０、１１  Ａ／Ｄ変換器
１２、１９、３６、３９  ディジタル可変増幅器
１３、４０  二乗器
１４、１８、３７  移相器
１５  ディジタルミキサ
１６、３５  ディジタルフィルタ
１７  除算器
２０、３８  加算器
２１  ＩＱ検出器
２２  送信信号制御部
２３  Ｄ／Ａ変換器
２７  電力増幅器
２８、２９、３０  ローカル信号生成部
３１  受信機
３２  送信機
３３  ディジタル信号処理部
３４  係数調整部
３５  ディジタルフィルタ
４１  適応フィルタ
４２  乗算器
４３  送受信機
４４  受信ブロック
４５  歪み検出ブロック
４６  三次相互歪み成分再生部
４８、４９  二次歪み成分再生部
９８  コントローラ集積回路、
９９  ＲＦユニット、
１００  Ｔｏｗｅｒ  Ｍｏｕｎｔｅｄ  Ａｍｐｌｉｆｉｅｒ、
１０１  アンテナモジュール、
１０２  ベースバンド処理部、
１１０  基地局、
ＩＭ２  受信２次相互歪み成分、
ＩＭ３  受信３次相互歪み成分、
ＲＸ（ＳＩ１、ＳＱ１）  受信ディジタル信号、
Ｓ’１  受信２次相互歪みアナログ信号、
Ｓ１  受信３次相互歪みアナログ信号、
Ｓ２  受信ディジタル信号、 
Ｓ’２  二乗受信２次相互歪みディジタル信号、 
Ｓ’３  再生受信３次相互歪みディジタル信号、 
Ｓ’４  再生受信歪みディジタル信号、
Ｓ’１ａ  受信２次相互歪みディジタル信号、
Ｓ’１ｂ  二乗送信ディジタル信号。
【図１】
2012060433.tif 000009
【図２Ａ】
2012060433.tif 000010
【図２Ｂ】
2012060433.tif 000011
【図３】
2012060433.tif 000012
【図４】
2012060433.tif 000013
【図５Ａ】
2012060433.tif 000014
【図５Ｂ】
2012060433.tif 000015
【図６】
2012060433.tif 000016
【図７】
2012060433.tif 000017
【図８Ａ】
2012060433.tif 000018
【図８Ｂ】
2012060433.tif 000019
【図９】
2012060433.tif 000020
【図１０】
2012060433.tif 000021
【図１１】
2012060433.tif 000022